【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
静磁場を発生させる静磁場発生手段と、傾斜磁場を発生させる傾斜磁場発生手段と、被検体に高周波磁場パルスを所定のパルスシーケンスで繰り返し照射する高周波送信手段と、被検体からの磁気共鳴信号を検出する高周波受信手段と、この高周波受信手段により検出された磁気共鳴信号を用いて画像再構成演算を行い被検体の複数のスライスの画像データを取得する画像再構成手段と、前記複数のスライスの画像データに基づく画像を表示する表示手段へ前記複数のスライスの画像データを出力する出力手段と、を備えた磁気共鳴イメージング装置において、
前記複数のスライスの画像データに対して所定の関心領域を設定する関心領域設定手段と、
前記複数のスライスの画像データに対して設定された関心領域毎の画像データの平均値を算出する第１の平均値算出手段と、
前記第１の平均値算出手段で算出された平均値に基づいて前記複数のスライスの画像データに対して設定された関心領域の画像データのレベルを均一にするための補正値を算出する補正値算出手段と、
前記補正値算出手段で算出された補正値を用いて、前記複数のスライスの画像データのレベルが均一になるように各スライスの画像データを補正する補正手段と、
を備えたことを特徴とする磁気共鳴イメージング装置。
【請求項２】
前記関心領域設定手段は、前記表示手段に表示された１又は複数のスライスの画像データに基づく画像上で、任意の領域を手動操作によって指示する指示手段を備えたことを特徴とする請求項１に記載の磁気共鳴イメージング装置。
【請求項３】
前記関心領域設定手段は、
前記複数のスライスの画像データから被検体の画像領域を抽出する画像領域抽出手段と、前記抽出した画像領域の画像データを複数のブロックに分割する分割手段と、前記複数のスライスの画像データ毎に、前記分割手段で分割されたブロック毎の画像データの平均値を算出する第２の平均値算出手段と、前記分割手段で分割されたブロック毎に、前記複数のスライスの画像データにおける同一のブロックについての、前記第２の平均値算出手段が算出した平均値の分散を算出する分散算出手段と、前記分散算出手段で算出された分散が最小となるブロックを検出するブロック検出手段と、を備え、前記ブロック検出手段によって検出されたブロックの領域を前記関心領域として設定することを特徴とする請求項１に記載の磁気共鳴イメージング装置。
【請求項４】
医用画像撮影装置で撮影された被検体の複数のスライスの画像データを取得するステップと、
前記複数のスライスの画像データに対して所定の関心領域を設定するステップと、
前記所定の関心領域を設定するステップで複数のスライスの画像データに対して設定された関心領域毎の画像データの平均値を算出するステップと、
前記関心領域毎の画像データの平均値を算出するステップで算出された平均値に基づいて前記複数のスライスの画像データに対して設定された関心領域の画像データのレベルを均一にするための補正値を算出するステップと、
前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、
を含むことを特徴とする医用画像処理方法。
【請求項５】
医用画像撮影装置で撮影された被検体の複数のスライスの画像データを取得するステップと、
前記複数のスライスの画像データに対して所定の関心領域を設定するステップと、
前記所定の関心領域を設定するステップで複数のスライスの画像データに対して設定された関心領域毎の画像データの平均値を算出するステップと、
前記関心領域毎の画像データの平均値を算出するステップで算出された平均値に基づいて前記複数のスライスの画像データに対して設定された関心領域の画像データのレベルを均一にするための補正値を算出するステップと、
前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、
を演算装置に実行させることを特徴とするプログラム。
【請求項６】
被検体の複数のスライスの画像データを取得する医用画像撮影装置と、
前記医用画像撮影装置で撮影された被検体の複数のスライスの画像データを取得するステップと、前記複数のスライスの画像データに対して所定の関心領域を設定するステップと、前記所定の関心領域を設定するステップで複数のスライスの画像データに対して設定された関心領域毎の画像データの平均値を算出するステップと、前記関心領域毎の画像データの平均値を算出するステップで算出された平均値に基づいて前記複数のスライスの画像データに対して設定された関心領域の画像データのレベルを均一にするための補正値を算出するステップと、前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、を実行するプログラムを記憶する記憶装置と、前記記憶装置から前記プログラムを読み出して実行する演算装置と、を備えた医用画像処理装置と、
前記医用画像処理装置から出力された複数枚の被検体の画像を表示させる表示装置と、
を備えたことを特徴とする医用画像表示システム。
【手続補正２】
【補正対象書類名】明細書
【補正対象項目名】００１３
【補正方法】変更
【補正の内容】
【００１３】
前記課題を解決するために、本発明の磁気共鳴イメージング装置は、静磁場を発生させる静磁場発生手段と、傾斜磁場を発生させる傾斜磁場発生手段と、被検体に高周波磁場パルスを所定のパルスシーケンスで繰り返し照射する高周波送信手段と、被検体からの磁気共鳴信号を検出する高周波受信手段と、この高周波受信手段により検出された磁気共鳴信号を用いて画像再構成演算を行い被検体の複数のスライスの画像データを取得する画像再構成手段と、前記複数のスライスの画像データに基づく画像を表示する表示手段へ前記複数のスライスの画像データを出力する出力手段と、を備えた磁気共鳴イメージング装置において、前記複数のスライスの画像データにに対して所定の関心領域を設定する関心領域設定手段と、前記複数のスライスの画像データに対して設定された関心領域毎の画像データの平均値を算出する第１の平均値算出手段と、前記第１の平均値算出手段で算出された平均値に基づいて前記複数のスライスの画像データに対して設定された関心領域の画像データのレベルを均一にするための補正値を算出する補正値算出手段と、前記補正値算出手段で算出された補正値を用いて、前記複数のスライスの画像データのレベルが均一になるように各スライスの画像データを補正する補正手段と、を備えたことを特徴としている。
【手続補正３】
【補正対象書類名】明細書
【補正対象項目名】００１５
【補正方法】変更
【補正の内容】
【００１５】
好ましい一実施形態の磁気共鳴イメージング装置では、前記表示手段に表示された１又は複数のスライスの画像データに基づく画像上で、任意の領域を手動操作によって指示する指示手段を備えたことを特徴としている。
【手続補正４】
【補正対象書類名】明細書
【補正対象項目名】００１７
【補正方法】変更
【補正の内容】
【００１７】
また、好ましい一実施形態の磁気共鳴イメージング装置では、前記関心領域設定手段は、前記複数のスライスの画像データから被検体の画像領域を抽出する画像領域抽出手段と、前記抽出した画像領域の画像データを複数のブロックに分割する分割手段と、前記複数のスライスの画像データ毎に、前記分割手段で分割されたブロック毎の画像データの平均値を算出する第２の平均値算出手段と、前記分割手段で分割されたブロック毎に、前記複数のスライスの画像データにおける同一のブロックについての、前記第２の平均値算出手段が算出した平均値の分散を算出する分散算出手段と、前記分散算出手段で算出された分散が最小となるブロックを検出するブロック検出手段と、を備え、前記ブロック検出手段によって検出されたブロックの領域を前記関心領域として設定することを特徴としている。
【手続補正５】
【補正対象書類名】明細書
【補正対象項目名】００１９
【補正方法】変更
【補正の内容】
【００１９】
また、本発明の医用画像処理方法は、医用画像撮影装置で撮影された被検体の複数のスライスの画像データを取得するステップと、前記複数のスライスの画像データに対して所定の関心領域を設定するステップと、前記所定の関心領域を設定するステップで複数のスライスの画像データに対して設定された関心領域毎の画像データの平均値を算出するステップと、前記関心領域毎の画像データの平均値を算出するステップで算出された平均値に基づいて前記複数のスライスの画像データに対して設定された関心領域の画像データのレベルを均一にするための補正値を算出するステップと、前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、を含むことを特徴としている。
また、本発明のプログラムは、医用画像撮影装置で撮影された被検体の複数のスライスの画像データを取得するステップと、前記複数のスライスの画像データに対して所定の関心領域を設定するステップと、前記所定の関心領域を設定するステップで複数のスライスの画像データに対して設定された関心領域毎の画像データの平均値を算出するステップと、前記関心領域毎の画像データの平均値を算出するステップで算出された平均値に基づいて前記複数のスライスの画像データに対して設定された関心領域の画像データのレベルを均一にするための補正値を算出するステップと、前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、を演算装置に実行させることを特徴とする。
また本発明に係る医用画像表示システムは、被検体の複数のスライスの画像データを取得する医用画像撮影装置と、前記医用画像撮影装置で撮影された被検体の複数のスライスの画像データを取得するステップと、前記複数のスライスの画像データに対して所定の関心領域を設定するステップと、前記所定の関心領域を設定するステップで複数のスライスの画像データに対して設定された関心領域毎の画像データの平均値を算出するステップと、前記関心領域毎の画像データの平均値を算出するステップで算出された平均値に基づいて前記複数のスライスの画像データに対して設定された関心領域の画像データのレベルを均一にするための補正値を算出するステップと、前記複数のスライスの画像データに対して設定された関心領域の画像データのレベルを均一にするための補正値を算出するステップで算出された補正値を用いて、前記複数のスライスの画像データのレベルが均一になるように各スライスの画像データを補正するステップと、を実行するプログラムを記憶する記憶装置と、前記記憶装置から前記プログラムを読み出して実行する演算装置と、を備えた医用画像処理装置と、前記医用画像処理装置から出力された複数枚の被検体の画像を表示させる表示装置と、を備えたことを特徴とする。
【手続補正６】
【補正対象書類名】明細書
【補正対象項目名】００４５
【補正方法】変更
【補正の内容】
【００４５】
ＲＯＩのシリーズ全体での平均値（Ｓ-Ｓｅｒ-ＲＯＩｍｅａｎ）が算出される（ステップＳ２２）。
【手続補正７】
【補正対象書類名】明細書
【補正対象項目名】００４７
【補正方法】変更
【補正の内容】
【００４７】
ステップＳ１６で算出されたスライス別のＲＯＩ内の画像データの平均値（Ｓ-ＲＯＩｍｅａｎ（ｉ））とステップＳ２２で算出されたＲＯＩ内の画像データのシリーズ全体での平均値（Ｓ-Ｓｅｒ-ＲＯＩｍｅａｎ）との差分をとる（式１参照）ことで、スライスの画像データの補正値（Ｓ-ＣＯＭＰ（ｉ））が算出される（ステップＳ２６）。
【手続補正８】
【補正対象書類名】明細書
【補正対象項目名】００７３
【補正方法】変更
【補正の内容】
【００７３】
i＝Ｎである（ステップＳ５０でＹＥＳ）の場合には、シリーズ全体のスライスに対して算出されたブロックＢ（ｘ，ｙ）の画像データの平均値のブロック毎の分散（σ−ＢＬＯＣＫ（ｘ，ｙ））が算出される（ステップＳ５２）。例えば、図７において、スライス１〜ＮのブロックＢ（１，２）内の画像データの平均値（Ｓ−ＢＬＯＣＫｍｅａｎ（１，２，ｉ））（ｉ：１〜Ｎ）の分散がσ−ＢＬＯＣＫ（１，２）であり、この処理が全てのブロックＢ（ｘ，ｙ）に対して行われる。
【手続補正９】
【補正対象書類名】明細書
【補正対象項目名】００７４
【補正方法】変更
【補正の内容】
【００７４】
ステップＳ５２で算出された分散（σ−ＢＬＯＣＫ（ｘ，ｙ））が最小となるブロックが、生体組織がほぼ同じ状態であると想定される場所（関心領域）として検出される（ステップＳ５４）。以下、ブロックＢ（ｊ，ｋ）の分散が最小となったとして説明する。
【手続補正１０】
【補正対象書類名】図面
【補正対象項目名】図１
【補正方法】変更
【補正の内容】
【図１】
2008099889.tif 000001
【手続補正１１】
【補正対象書類名】図面
【補正対象項目名】図４
【補正方法】変更
【補正の内容】
【図４】
2008099889.tif 000002
【手続補正１２】
【補正対象書類名】図面
【補正対象項目名】図５
【補正方法】変更
【補正の内容】
【図５】
2008099889.tif 000003